(57)【特許請求の範囲】
【請求項１】
冷却水槽と、前記冷却水槽の底面に立設された支え脚と、前記支え脚の上部に固設されたモータ部と、前記モータ部を駆動源とするアジテータと、前記支え脚に対して挿脱自在であるとともにコイル状に巻回された飲料冷却管と、を有する飲料冷却注出装置において、
前記飲料冷却管の一端に接続された飲料ホースと、
前記飲料冷却管の他端に接続された注出コックと、
前記注出コックが固設される上側取付板と、前記飲料冷却管の下方に位置し、前記支え脚が挿通される挿通開口を有する下側取付板を有し、前記飲料冷却管を保持するホルダ部材と、
前記飲料冷却管、前記飲料ホース、前記注出コック、前記ホルダ部材が一体化された飲料注出回路ユニットと、
コイル状に巻回された前記飲料冷却管の内側に配設された配線パイプと、を備え、
前記配線パイプの内部に前記モータ部の配線を挿通させたこと、を特徴とする飲料冷却注出装置。
【発明の詳細な説明】
【０００１】
【発明の属する技術分野】
本発明は、生ビール等の飲料を冷却して注出するための飲料冷却注出装置に関する。
【０００２】
【従来の技術】
従来、この種の飲料冷却注出装置としては、例えば、特開平８−１９８３９３に記載されたものが知られている。そこで、先ず、特開平８−１９８３９３に記載された飲料冷却注出装置の概要について、図１８及び図１９を参照にして説明する。図１８は飲料冷却注出装置２００の使用状態を示し、図１９は飲料注出回路ユニット３１０を取外した状態を示す。
【０００３】
飲料冷却注出装置２００は次の様な構成となっている。図中１５０は、冷却水１０２を収容する冷却水槽１０１を備えた装置本体である。
【０００４】
また、前記冷却水槽１０１内には、装置本体１５０の下部に設けられた冷凍装置１０９に接続した蒸発器１１０が設けられている。冷凍装置１０９の運転により冷却水１０２は前記蒸発器１１０での冷媒の蒸発潜熱により冷却され一部が氷１１１となって一定量畜氷される。
【０００５】
冷却水槽１０１内には、前記冷却水１０２中に浸積された状態で飲料冷却管１０３が設けられている。また、冷却水槽１０１内の冷却水１０２を攪拌して、飲料冷却管１０３内を流れる飲料Ａを効率よく冷却するための攪拌手段としてのアジテータ１１２が設けられている。
【０００６】
このアジテータ１１２は、前記コイル状に巻回された飲料冷却管１０３の内部に入れ子状態で位置するように前記冷却水槽１０１の底面より立設された支え手段としての支え脚１１７に、そのモータ１１２Ａ部分が固着されている。
【０００７】
飲料冷却管１０３の飲料導出側端は、水槽壁の断熱材１０４の上端部に切欠された管路導出口１３０を閉塞する状態で装架される取付板１３１に具備された飲料注出口である注出コック１０５に接続され、飲料導入側端も同様に取付板１３１に具備された継手１１８に接続されている。
【０００８】
継手１１８には、飲料ホース１０６が接続され、その上流端には飲料供給源である飲料容器１０７より飲料Ａの取出しをするディスペンスヘッド１０８が接続されている。この様な装置において飲料Ａを注出するには、まず、飲料ホース１０６の上流端に接続されているディスペンスヘッド１０８を飲料容器１０７の取出口に装着する。
【０００９】
ディスペンスヘッド１０８には、ガス導入用の継手１１９が備えられており、該継手１１９には炭酸ガスボンベ１１３の一端を接続したガスホース１１４が接続され、前記ディスペンスヘッド１０８のガス導入部に炭酸ガスが導かれるようになっている。
【００１０】
そして、ディスペンスヘッド１０８のハンドル１１５開方向に操作して取出口内に内設されているガス用バルブ（図示しない）を開き、飲料容器１０７内に炭酸ガスを導入するとともに、同操作により取出口内に内設されている飲料用バルブ（図示しない）が開く。飲料Ａは、飲料容器１０７内に内設されているサイフォンパイプ（図示しない）経て飲料ホース１０６、取付板１１７に具備された継手１１８、飲料冷却管１０３を通って飲料注出用の注出コック１０５へと導かれる飲料注出回路３００が形成される。
【００１１】
飲料注出用の注出コック１０５を開くことにより、前記飲料容器１０７の飲料Ａは、飲料容器１０７内へ導入された炭酸ガス圧の押圧により飲料注出回路３００を経て注出される。
【００１２】
前記飲料注出回路３００内の飲料冷却管１０３内を通過する飲料Ａは、前記冷却水１０２と熱交換を行い、急冷されて冷たい飲料Ａとなって注出されることになる。また、飲料注出回路３００の構成部材であるディスペンスヘッド１０８及びその下流の飲料ホース１０６、継手１１８、飲料冷却管１０３及び注出コック１０５は、取付板１３１とともに一体化されてユニット化され、飲料注出回路ユニット３１０を構成している。
【００１３】
尚、図中１１６は、上部カバーである。
【００１４】
また、取付板１３１の装架状態を図２０に示す。管路導出口１３０の上端開口縁部には、上板部１３１Ｂの厚みとほぼ同じ寸法の切欠断部１５３が形成されており、取付板１３１の上板部１３１Ｂの上面と装置本体１５０の水槽壁と断熱材１０４の上端面は、同じ高さとなるようになっており、上部カバー１１６を閉じたとき、隙間が形成されないようになっている。
また、切欠断部１５３内に、上板部１３１Ｂが嵌合することにより取付板１３１の左右方向が規制され、また、前板部１３１Ａと掛止片部１３１Ｃとで水槽壁の断熱材１０４を挟み込むことで前後方向の動きが規制されるようになっている。また、切欠断部１５３と上部カバー１１６とで、上板部１３１Ｂを挟み込むことで上下方向の動きが規制されるようになっている。
尚、図２０に示す点は、特開平６−２９３３９２に記載されている。
【００１５】
以上より、飲料冷却注出装置２００では、前記飲料注出回路３００の構成部材であり巻回された飲料冷却管１０３内に位置するように組込まれ、前記冷却水を攪拌する攪拌手段、すなわちアジテータ１１２及びモータ部１１２Ａは、前記冷却水槽１０１の底部より立設された支え脚１１７に固着されているが、これらの部材はコイル状に巻回された飲料冷却管１０３の巻回成形径より小型で突出物もなく飲料冷却管１０３内を通すことができる入れ子構成となっている。
【００１６】
モータ部１１２Ａへの配線を飲料冷却管１０３内を通しても良く、又、着脱簡易なコンセントを設けることもできる。したがって、攪拌手段であるアジテータ１１２を装置本体１５０より取外したり、または触れることなく、前記飲料注出回路ユニット３１０を取付、取外すことができ、その作業性を著しく上げることができる。また、ガス導入用の継手１１９からガスホース１１４を外すことにより飲料注出回路ユニット３１０を完全に使用状態から分離することができる。
【００１７】
従って、雑菌が繁殖し、また酒石等の付着する飲料Ａの接液部分である飲料注出回路３００は完全なる洗浄殺菌が重要であるが、飲料店におかれた現場での作業は実施し難く、また完全に行なえないため装置全体を飲料店より引き上げて洗浄殺菌しなければならなかったが、その必要はなく、飲料注出回路３００を簡便に洗浄殺菌することができ良質の美味な飲料を提供できることとなる。
【００１８】
【発明が解決しようとする課題】
しかしながら、飲料冷却注出装置２００においては、上述したように、「モータ部１１２Ａへの配線を飲料冷却管１０３内を通しても良く、又、着脱簡易なコンセントを設けることもできる。」とは言うものの、モータ部１１２Ａへの配線については、詳しく開示されていない。これでは、冷却水槽１０１内の飲料冷却管１０３を交換する際には、モータ部１１２Ａへの配線におけるコネクタを取り外さなければ実施できないおそれがあり、そのような場合には、電源をいったん切る必要があり、当該コネクタの再接続を忘れたりするので、機械に慣れていない人にとっては、飲料冷却管１０３を交換する際の作業性に抵抗があった。
【００１９】
そこで、本発明は、上述した問題点を解決するためになされた飲料冷却注出装置であって、アジテータのモータ部の配線に触れることなく、冷却水槽内の飲料冷却管の交換を可能にすることを課題とする。
【００２０】
【００２１】
【００２２】
【００２３】
【００２４】
【００２５】
【００２６】
【００２７】
【課題を解決するための手段】
上記課題を解決するために成された請求項１に係る発明は、冷却水槽と、前記冷却水槽の底面に立設された支え脚と、前記支え脚の上部に固設されたモータ部と、前記モータ部を駆動源とするアジテータと、前記支え脚に対して挿脱自在であるとともにコイル状に巻回された飲料冷却管と、を有する飲料冷却注出装置において、前記飲料冷却管の一端に接続された飲料ホースと、前記飲料冷却管の他端に接続された注出コックと、前記注出コックが固設される上側取付板と、前記飲料冷却管の下方に位置し、前記支え脚が挿通される挿通開口を有する下側取付板を有し、前記飲料冷却管を保持するホルダ部材と、前記飲料冷却管、前記飲料ホース、前記注出コック、前記ホルダ部材が一体化された飲料注出回路ユニットと、コイル状に巻回された前記飲料冷却管の内側に配設された配線パイプと、を備え、前記配線パイプの内部に前記モータ部の配線を挿通させたこと、を特徴としている。
【００２８】
このような特徴を有する本発明の飲料冷却注出装置は、冷却水槽に立設された支え脚に対して、コイル状に巻回された飲料冷却管が差し込まれた際には、アジテータで撹拌された冷却水槽内の冷水が飲料冷却管内の飲料と高効率の熱交換を行うことから、飲料冷却管内の飲料を急激に冷やすことができるものである。
【００２９】
このとき、アジテータは、支え脚の上部に固設されたモータ部で駆動されるが、モータ部の配線は、飲料冷却管の内側に備えられた配線パイプを介して、冷却水槽の外部に取り出されている。
【００３０】
すなわち、本発明の飲料冷却注出装置において、冷却水槽に立設された支え脚に対して、コイル状に巻回された飲料冷却管が差し込まれた際には、飲料冷却管の巻内に内在する配線パイプを介して、アジテータを駆動するモータ部の配線が冷却水槽の外部に取り出されており、アジテータのモータ部の配線に触れることなく、冷却水槽に立設された支え脚から、コイル状に巻回された飲料冷却管を差し出すことができるので、アジテータのモータ部の配線に触れることなく、冷却水槽内の飲料冷却管の交換が可能となる。
【００３１】
【００３２】
【００３３】
【００３４】
【００３５】
【００３６】
【００３７】
【００３８】
【００３９】
【００４０】
【００４１】
【００４２】
そして、本発明の飲料冷却注出装置において、上側取付板、下側取付板を有するホルダ部材によって、飲料冷却管の剛性が確保されているので、冷却水槽に立設された支え脚から、コイル状に巻回された飲料冷却管を差し出した後に、飲料注出回路ユニットの着脱・洗浄・運搬等に際し、コイル状に巻回された飲料冷却管の変形を防止することができる。
【００４３】
【発明の実施の形態】
以下、本発明の実施の形態を図面を参照にして説明する。先ず、本実施の形態の飲料冷却注出装置における装置本体について説明する。ここで、図４は、本実施の形態の飲料冷却注出装置における装置本体１１の側面図である。また、図５は、本実施の形態の飲料冷却注出装置における装置本体１１の正面図である。また、図６は、本実施の形態の飲料冷却注出装置における装置本体１１の平面図である。
【００４４】
図４及び、図５、図６に示すように、本実施の形態の飲料冷却注出装置における装置本体１１では、冷却水槽２の正面側の下部に受皿３が突設されるとともに、冷却水槽２の正面側の上部にブラケット４が「管路導出口」として取設されている。また、冷却水槽２の側面側の上部に導入切欠部５が凹設されている。そして、冷却水槽２の隣に冷凍装置６が設置されており、冷凍装置６からの冷媒が循環する蒸発器７が冷却水槽２に内設されている。従って、冷凍装置６が運転されると、蒸発器７内を通過する冷媒により、冷却水槽２内の水が冷やされ、その一部は、氷となって蒸発器７の周囲に付着する。
【００４５】
一方、冷却水槽２の底面の中央に支え脚９が立設されており、さらに、支え脚９の上部にモータ部１０が固設されるとともに、支え脚９の内部にアジテータ８が固設されている。この点、アジテータ８は、モータ部１０を駆動源とするものであり、冷却水槽２内で水没することから、冷却水槽２内の水を撹拌することができる。また、支え脚９の上部には、前後に一部の突起を設けた丸型形状のカバー１１が装着されており、カバー１１がモータ部１０を覆うことにより、モータ部１０を保護している。さらに、支え脚９にはネットが具備されている。
【００４６】
次に、本実施の形態の飲料冷却注出装置における第１飲料注出回路ユニットについて説明する。ここで、図７は、本実施の形態の飲料冷却注出装置における第１飲料注出回路ユニット４１の側面図である。また、図８は、本実施の形態の飲料冷却注出装置における第１飲料注出回路ユニット４１の正面図である。また、図９は、本実施の形態の飲料冷却注出装置における第１飲料注出回路ユニット４１の平面図である。
【００４７】
図７及び、図８、図９に示すように、本実施の形態の飲料冷却注出装置における第１飲料注出回路ユニット４１では、上板４２をＬ型に折り曲げることにより、取付板４７に対して、上板４２が垂設されている。そして、上板４２には、支え脚９の上部に設けられたモータ部１０やカバー１１を挿入させるための上穴５１が設けられている。また、上板４２の下側では、コイル状に巻回された飲料冷却管４４が、上穴５１に対して同心状に配置されるとともに、上板４２の下面に略等配に固設された３つのホルダー部４５により、吊設・保持される。各ホルダー部４５は、飲料冷却管４４を内面側及び外面側から挟むように成形され、飲料冷却管４４のピッチを保持する突起部を設けられている。
【００４８】
さらに、３つのホルダー部４５の下端に下板４６が固設されており、下板４６には、カバー１１及び、モータ部１０、支え脚９、アジテータ８を挿入させるための下穴（図示せず）が設けられている。ここで、下板４６の下穴（図示せず）は、上板４２の上穴５１及び飲料冷却管４４に対して同心状に配置される。
【００４９】
一方、取付板４７の両側には、案内溝Ｇが設けられている。さらに、取付板４７の正面には、注出コック４８が固設されており、注出コック４８に対しては、上板４２の通過口５０から引き出された飲料冷却管４４の他端が接続されている。また、上板４２には、回動自在な接続部材４３が固設されており、接続部材４３を介して、飲料冷却管４４の一端及び飲料ホース４９が接続されている。この点、接続部材４３は、自由に回動させることができることから、例えば、図１７に示すように、図９とは反対側に飲料ホース４９を配置させることもできる。
【００５０】
尚、飲料ホース４９は、従来技術と同様にして、飲料供給源である飲料容器に接続される。
【００５１】
次に、本実施の形態の飲料冷却注出装置について説明する。ここで、図１は、本実施の形態の飲料冷却注出装置１の側面図である。また、図２は、本実施の形態の飲料冷却注出装置１の正面図である。また、図３は、本実施の形態の飲料冷却注出装置１の平面図である。
【００５２】
図１及び、図２、図３に示すように、本実施の形態の飲料冷却注出装置１は、装置本体１１（図４，図５，図６参照）に対して、第１飲料注出回路ユニット４１（図７，図８，図９参照）が装着されたものである。装置本体１１（図４，図５，図６参照）に対して、第１飲料注出回路ユニット４１（図７，図８，図９参照）を装着させるためには、先ず、装置本体１１（図４，図５，図６参照）から蓋体１２を外す。次に、冷却水槽２の底面に立設された支え脚９及び、アジテータ８、モータ部１０、カバー１１に対して、第１飲料注出回路ユニット４１（図７，図８，図９参照）の下穴（図示せず）及び飲料冷却管４４を挿入させるとともに、支え脚９の上部に設けられたモータ部１０及びカバー１１に対して、第１飲料注出回路ユニット４１（図７，図８，図９参照）の上穴５１を挿入させる。
【００５３】
このとき、図３に示すように、冷却水槽２の底面に立設された支え脚９と第１飲料注出回路ユニット４１（図７，図８，図９参照）の飲料冷却管４４との間には、支え脚９の四隅において、クリアランスＳが確保される。さらに、冷却水槽２のブラケット４に対して、第１飲料注出回路ユニット４１（図７，図８，図９参照）の取付板４７の案内溝Ｇが差し入れられる。そして、冷却水槽２の導入切欠部５に対して、第１飲料注出回路ユニット４１（図７，図８，図９参照）のチューブ４９がはめ込まれた後、装置本体１１（図４，図５，図６参照）を蓋体１２で閉じる。
【００５４】
ここで、本実施の形態の飲料冷却注出装置における第２飲料注出回路ユニットについて説明する。ここで、図１０は、本実施の形態の飲料冷却注出装置における第２飲料注出回路ユニット６１の側面図である。また、図１１は、本実施の形態の飲料冷却注出装置における第２飲料注出回路ユニット６１の正面図である。また、図１２は、本実施の形態の飲料冷却注出装置における第２飲料注出回路ユニット６１の平面図である。
【００５５】
図１０及び、図１１、図１２に示すように、本実施の形態の飲料冷却注出装置における第２飲料注出回路ユニット６１では、上板６２をＬ型に折り曲げることにより、取付板６７に対して、上板６２が垂設されている。そして、上板６２には、支え脚９の上部に設けられたモータ部１０やカバー１１を挿入させるための上穴７１が設けられている。また、上板６２の下側では、コイル状に巻回された２個の飲料冷却管６４Ａ，６４Ｂが、上穴７１に対して同心状に重ね合わせて配置されるとともに、上板６２の下面に略等配に固設された３つのホルダー部６５により、吊設・保持される。各ホルダー部６５は、２個の飲料冷却管６４Ａ，６４Ｂを内面側及び外面側から挟むように成形され、２個の飲料冷却管６４Ａ，６４Ｂのピッチを保持する突起部を設けられている。
【００５６】
さらに、３つのホルダー部６５の下端に下板６６が固設されており、下板６６には、カバー１１及び、モータ部１０、支え脚９、アジテータ８を挿入させるための下穴（図示せず）が設けられている。ここで、下板６６の下穴（図示せず）は、上板６２の上穴７１及び２個の飲料冷却管６４Ａ，６４Ｂに対して同心状に配置される。
【００５７】
一方、取付板６７の両側には、案内溝Ｇが設けられている。さらに、取付板６７の正面には、２個の注出コック６８Ａ，６８Ｂが固設されており、２個の注出コック６８Ａ，６８Ｂに対しては、上板６２の２個の通過口７０Ａ，７０Ｂからそれぞれ引き出された２個の飲料冷却管６４Ａ，６４Ｂの他端がそれぞれ接続されている。また、上板６２には、回動自在な２個の接続部材６３Ａ，６３Ｂが固設されており、２個の接続部材６３Ａ，６３Ｂを介して、２個の飲料冷却管６４Ａ，６４Ｂの一端及び２本の飲料ホース６９Ａ，６９Ｂがそれぞれ接続されている。この点、２個の接続部材６３Ａ，６３Ｂは、自由に回動させることができることから、図１２とは反対側に２本の飲料ホース６９Ａ，６９Ｂを揃えて配置させることもできるし、２本の飲料ホース６９Ａ，６９Ｂを互いに対向させて配置させることもできる。
【００５８】
従って、図１０及び、図１１、図１２に示す第２飲料注出回路ユニット６１は、２本の飲料ホース６９Ａ，６９Ｂ及び、２個の接続部材６３Ａ，６３Ｂ、２個の飲料冷却管６４Ａ，６４Ｂ、２個の通過口７０Ａ，７０Ｂ、２個の注出コック６８Ａ，６８Ｂを備える一方で、図７及び、図８、図９に示す第２飲料注出回路ユニット４１は、１本の飲料ホース４９及び、１個の接続部材４３、１個の飲料冷却管４４、１個の通過口５０、１個の注出コック４８を備えており、これらの点で異なるが、幅ａ×奥行ｂ×高さｃの外形寸法については、同じである。
【００５９】
尚、２本の飲料ホース６９Ａ，６９Ｂは、従来技術と同様にして、飲料供給源である飲料容器にそれぞれ接続される。
【００６０】
次に、本実施の形態の飲料冷却注出装置において、上記第２飲料注出回路ユニット６１を備えた場合について説明する。ここで、図１３は、本実施の形態の飲料冷却注出装置１の側面図である。また、図１４は、本実施の形態の飲料冷却注出装置１の正面図である。また、図１５は、本実施の形態の飲料冷却注出装置１の平面図である。
【００６１】
図１３及び、図１４、図１５に示すように、本実施の形態の飲料冷却注出装置１は、装置本体１１（図４，図５，図６参照）に対して、第２飲料注出回路ユニット６１（図１０，図１１，図１２参照）が装着されたものである。
【００６２】
そして、装置本体１１（図４，図５，図６参照）に対して、第２飲料注出回路ユニット６１（図１０，図１１，図１２参照）を装着させるためには、先ず、装置本体１１（図４，図５，図６参照）から蓋体１２を外す。次に、冷却水槽２の底面に立設された支え脚９及び、アジテータ８、モータ部１０、カバー１１に対して、第２飲料注出回路ユニット６１（図１０，図１１，図１２参照）の下穴（図示せず）及び２個の飲料冷却管６４Ａ，６４Ｂを挿入させるとともに、支え脚９の上部に設けられたモータ部１０及びカバー１１に対して、第２飲料注出回路ユニット６１（図１０，図１１，図１２参照）の上穴７１を挿入させる。
【００６３】
このとき、図１５に示すように、冷却水槽２の底面に立設された支え脚９と第２飲料注出回路ユニット６１（図１０，図１１，図１２参照）の２個の飲料冷却管６４Ａ，６４Ｂとの間には、支え脚９の四隅において、クリアランスＳが確保される。さらに、冷却水槽２のブラケット４に対して、第２飲料注出回路ユニット６１（図１０，図１１，図１２参照）の取付板６７の案内溝Ｇが差し入れられる。そして、冷却水槽２の導入切欠部５に対して、第２飲料注出回路ユニット６１（図１０，図１１，図１２参照）の２本のチューブ６９Ａ，６９Ｂがはめ込まれた後、装置本体１１（図４，図５，図６参照）を蓋体１２で閉じる。
【００６４】
また、図１６の側面図で示すように、配管パイプ１３が、冷却水槽２の底面を貫通して設けられるとともに、冷却水槽２の底面に立設された支え脚９に添設されている。このとき、配管パイプ１３の上端はカバー１１の内部で露出するとともに、配管パイプ１３の下端は冷却水槽２の外部に露出している。そして、支え脚９の上部に固設されたモータ部１０の配線１４が、配管パイプ１３の上端から下端を通って、冷却水槽２の外部に導き出されており、冷却水槽２内の冷水や氷に触れることがない。また、モータ部１０の配線１４にはコネクタ１５が設けられているが、このコネクタ１５は、カバー１１の内部に収納されている。
尚、これらの点は、図１及び図２、図３に示す飲料冷却注出装置１においても、同様である。
【００６５】
以上詳細に説明したように、図１及び図２、図３に示す飲料冷却注出装置１は、冷却水槽２に立設された支え脚９に対して、コイル状に巻回された飲料冷却管４４が差し込まれた際には、飲料冷却管４４の巻内にアジテータ８が内在し、アジテータ８で撹拌された冷却水槽２内の冷水が飲料冷却管４４内の飲料と高効率の熱交換を行うことから、飲料ホース４９から飲料冷却管４４内に流れる飲料を急激に冷やすことができるものである。そして、飲料冷却管４４内の飲料は、注出コック４８から注出される。
【００６６】
そして、このとき、アジテータ８は、支え脚９の上部に固設されたモータ部１０で駆動されるが、モータ部１０の配線１４は、冷却水槽２の底面に貫設されるとともに支え脚９に添設され、飲料冷却管４４の内側に備えられた配線パイプ１３を介して、冷却水槽２の外部に取り出されている（図１６参照）。
【００６７】
すなわち、本実施の形態の飲料冷却注出装置１において、冷却水槽２に立設された支え脚９に対して、コイル状に巻回された飲料冷却管４４が差し込まれた際には、飲料冷却管４４の巻内に内在する配線パイプ１３を介して、アジテータ８を駆動するモータ部１０の配線１４が冷却水槽２の外部に取り出されており、アジテータ８のモータ部１０の配線１４に触れることなく、冷却水槽２に立設された支え脚９から、コイル状に巻回された飲料冷却管４４を差し出すことができるので、アジテータ８のモータ部１０の配線１４に触れることなく、冷却水槽２内の飲料冷却管４４の交換が可能となる。
【００６８】
従って、モータ部１０やコネクタ１５を外すことなく、また、モータ部１０の配線１４に電源が供給されたままの状態で、冷却水槽２内の飲料冷却管４４の交換が可能となる。
【００６９】
また、このとき、モータ部１０は、支え脚９の上部に装着されたカバー１１により覆われて保護されている。
【００７０】
すなわち、本実施の形態の飲料冷却注出装置１において、冷却水槽２に立設された支え脚９に対して、コイル状に巻回された飲料冷却管４４が挿脱される際には、支え脚９の上部に固設されたモータ部１０を、コイル状に巻回された飲料冷却管４４の巻内に通す必要があるが、この点、支え脚９の上部に装着されたカバー１１によりモータ部１０が覆われて保護されているので、アジテータ８のモータ部９の損傷を防止することができる。
【００７１】
従って、モータ部１０を直接接触できない構造になっているので、モータ部１０に水がかかることがなく、発熱したモータ部に触れることも防止できる。また、、カバー１１の上部にＲ部を設けることにより、その形状に沿って、注出コック４８の位置をガイドさせ、カバー１１の前後の突起により、注出コック４８の位置を固定しやすくなった。
【００７２】
また、このとき、飲料冷却管４４と支え脚９との間に所定のクリアランスＳが設けられており、モータ部１０を覆うカバー１１が飲料冷却管４４の位置決め部材となることから、冷却水槽２に対するセット位置に飲料冷却管４４を簡単に導くことができる。
【００７３】
すなわち、本実施の形態の飲料冷却注出装置１において、冷却水槽２に立設された支え脚９に対して、コイル状に巻回された飲料冷却管４４が挿脱される際には、飲料冷却管４４と支え脚９との間に設けられた所定のクリアランスＳを介して、冷却水槽２に対するセット位置に飲料冷却管４４を簡単に導くことができるので、飲料冷却管４４の位置決め作業を容易にすることができる。
【００７４】
さらに、飲料冷却管４４が、支え脚９で規制されるため、冷却水槽２に内設された電極に接触することを防止できる。
【００７５】
また、このとき、支え脚９及び、支え脚９に固設されたアジテータ８やモータ部１０を、飲料冷却管４４の巻内に通す際には、飲料冷却管４４や、上板４２、下板４６等が一体化された第１飲料注出回路ユニット４１が、図７及び、図８、図９に示すように、飲料冷却管４４及び、上板４２の上穴５１、下板４６の下穴（図示せず）が同心状に配設されていることから、冷却水槽２に立設された支え脚９に対して、コイル状に巻回された飲料冷却管４４が差し込んだり、その後に、冷却水槽２に立設された支え脚９から、コイル状に巻回された飲料冷却管４４を差し出すことが可能となる。
【００７６】
そして、本実施の形態の飲料冷却注出装置１において、飲料冷却管４４及び、飲料ホース４９、注出コック４８、取付板４７が一体化された第１飲料注出回路ユニット４１は、取付板４７に固設された上板４２と、上板４２の下面に固設されるとともに飲料冷却管４４を保持したホルダー部４５と、ホルダー部４５の下端に固設された下板４６と、を備えており、すなわち、飲料冷却管４４を保持したホルダー部４５の下板４６が下穴（図示せず）によってモータ部１０を貫通可能に設けられており、飲料冷却管４４の剛性が確保されているので、冷却水槽２に立設された支え脚９から、コイル状に巻回された飲料冷却管４４を差し出した後に、第１飲料注出回路ユニット４１の着脱・洗浄・運搬等に際し、コイル状に巻回された飲料冷却管４４の変形を防止することができる。
【００７７】
従って、コイル状に巻回された飲料冷却管４４の変形を防止することができることから、飲料冷却性能の劣化を防ぐことができる。また、第１飲料注出回路ユニット４１の飲料冷却管４４を上板４２にホルダー部４５を介して固定することにより、上板４２を直接手持ちすることができるので、第１飲料注出回路ユニット４１の着脱・洗浄・運搬等の取り扱いが容易となるとともに、飲料冷却管４４の固定部に大きな応力が作用しないので、第１飲料注出回路ユニット４１の着脱・洗浄・運搬等における固定部の破損が防止できる。
【００７８】
また、下板４６を設けることにより、ホルダー部４５の下端を固定しているので、飲料冷却管４４の固定をより強固とする。さらに、冷却水槽２に立設された支え脚９から、コイル状に巻回された飲料冷却管４４を差し出す際には、飲料冷却管４４に付着していた水滴が下方にしたたり落ちるが、これらの水滴は、下板４６の上に落下し、下板４６の傾斜に沿ってその一端部から落下するので、支え脚９に固設されたアジテータ８や、モータ部１０を濡らすことがない。また、下板４６の下穴（図示せず）にガイドされることにより、冷却水槽２に立設された支え脚９に対して、コイル状に巻回された飲料冷却管４４を容易に差し入れることができる。また、第１飲料注出回路ユニット４１の着脱・洗浄・運搬等の際には、下板４６により、第１飲料注出回路ユニット４１を床面などに自立させることができるので、飲料冷却管４４が傷つけられることがない。
【００７９】
もっとも、上述したこれらの点は、図１３及び図１４、図１５に示す飲料冷却注出装置１や、図１０及び、図１１、図１２に示す第２飲料注出回路ユニット６１においても、同様である。
【００８０】
尚、本発明は上記実施の形態に限定されるものでなく、その趣旨を逸脱しない範囲で様々な変更が可能である。
例えば、図１０及び、図１１、図１２に示す第２飲料注出回路ユニット６１は、２本の飲料ホース６９Ａ，６９Ｂ及び、２個の接続部材６３Ａ，６３Ｂ、２個の飲料冷却管６４Ａ，６４Ｂ、２個の通過口７０Ａ，７０Ｂ、２個の注出コック６８Ａ，６８Ｂを備えるものであったが、幅ａ×奥行ｂ×高さｃの外形寸法が同じであれば、３本以上の飲料ホース及び、同数の接続部材４３、同数の飲料冷却管、同数の通過口、同数の注出コックを備えたものであってもよい。
【００８１】
【発明の効果】
本発明の飲料冷却注出装置において、冷却水槽に立設された支え脚に対して、コイル状に巻回された飲料冷却管が差し込まれた際には、飲料冷却管の巻内に内在する配線パイプを介して、アジテータを駆動するモータ部の配線が冷却水槽の外部に取り出されており、アジテータのモータ部の配線に触れることなく、冷却水槽に立設された支え脚から、コイル状に巻回された飲料冷却管を差し出すことができるので、アジテータのモータ部の配線に触れることなく、冷却水槽内の飲料冷却管の交換が可能となる。
【００８２】
【００８３】
【００８４】
また、本発明の飲料冷却注出装置において、上側取付板、下側取付板を有するホルダ部材によって、飲料冷却管の剛性が確保されているので、冷却水槽に立設された支え脚から、コイル状に巻回された飲料冷却管を差し出した後に、飲料注出回路ユニットの着脱・洗浄・運搬等に際し、コイル状に巻回された飲料冷却管の変形を防止することができる。
【図面の簡単な説明】
【図１】  本発明の一実施の形態による飲料冷却注出装置の側面図である。
【図２】  本発明の一実施の形態による飲料冷却注出装置の正面図である。
【図３】  本発明の一実施の形態による飲料冷却注出装置の平面図である。
【図４】  本発明の一実施の形態による飲料冷却注出装置における装置本体の側面図である。
【図５】  本発明の一実施の形態による飲料冷却注出装置における装置本体の正面図である。
【図６】  本発明の一実施の形態による飲料冷却注出装置における装置本体の平面図である。
【図７】  本発明の一実施の形態による飲料冷却注出装置における第１飲料注出回路ユニットの側面図である。
【図８】  本発明の一実施の形態による飲料冷却注出装置における第１飲料注出回路ユニットの正面図である。
【図９】  本発明の一実施の形態による飲料冷却注出装置における第１飲料注出回路ユニットの平面図である。
【図１０】  本発明の一実施の形態による飲料冷却注出装置における第２飲料注出回路ユニットの側面図である。
【図１１】  本発明の一実施の形態による飲料冷却注出装置における第２飲料注出回路ユニットの正面図である。
【図１２】  本発明の一実施の形態による飲料冷却注出装置における第２飲料注出回路ユニットの平面図である。
【図１３】  本発明の一実施の形態による飲料冷却注出装置の側面図である。
【図１４】  本発明の一実施の形態による飲料冷却注出装置の正面図である。
【図１５】  本発明の一実施の形態による飲料冷却注出装置の平面図である。
【図１６】  本発明の一実施の形態による飲料冷却注出装置の側面図である。
【図１７】  本発明の一実施の形態による飲料冷却注出装置における第１飲料注出回路ユニットの平面図である。
【図１８】  従来技術の飲料冷却注出装置の使用状態の説明図である。
【図１９】  従来技術の飲料冷却注出装置の飲料注出回路を取外した状態を示す断面図である。
【図２０】  従来技術の飲料冷却注出装置において、飲料注出回路ユニットの取付板部の装置本体への装架状態を示す説明図である。
【符号の説明】
１  飲料冷却注出装置
２  冷却水槽
４  ブラケット
５  導入切欠部
８  アジテータ
９  支え脚
１０  モータ部
１１  カバー
１３  配線パイプ
１４  モータ部の配線
４１  第１飲料注出回路ユニット
４２，６２  上板
４４，６４Ａ，６４Ｂ  飲料冷却管
４５，６５  ホルダー部
４６，６６  下板
４７，６７  取付板
４８，６８Ａ，６８Ｂ  注出コック
４９，６９Ａ，６９Ｂ  飲料ホース
５１，７１  上穴
４３，６３Ａ，６３Ｂ  接続部材
６１  第２飲料注出回路ユニット
Ｓ  クリアランス
Ｇ  案内溝
【図１】
0003970677.tif 000002
【図２】
0003970677.tif 000003
【図３】
0003970677.tif 000004
【図４】
0003970677.tif 000005
【図５】
0003970677.tif 000006
【図６】
0003970677.tif 000007
【図７】
0003970677.tif 000008
【図８】
0003970677.tif 000009
【図９】
0003970677.tif 000010
【図１０】
0003970677.tif 000011
【図１１】
0003970677.tif 000012
【図１２】
0003970677.tif 000013
【図１３】
0003970677.tif 000014
【図１４】
0003970677.tif 000015
【図１５】
0003970677.tif 000016
【図１６】
0003970677.tif 000017
【図１７】
0003970677.tif 000018
【図１８】
0003970677.tif 000019
【図１９】
0003970677.tif 000020
【図２０】
0003970677.tif 000021